(57)【要約】【課題】臨場感を伴った低音感を聴者に与えることが可能なウェアラブルスピーカを実現する。【解決手段】ウェアラブルスピーカシステム（１）は、エンクロージャ（１１１）とスピーカユニット（１１２）と振動体（１１３）とアーム（１２）とを備えている。スピーカユニット（１１２）及び振動体（１１３）は、それぞれ、エンクロージャ（１１１）に収容及び取付されており、アーム（１２）は、振動体（１１３）を聴者の頭部に押し当てるように、エンクロージャ（１１１）を保持する。【選択図】図１
2020072407.tif 000002
【特許請求の範囲】
【請求項１】
エンクロージャと、
上記エンクロージャに収容された、音声信号に従って動作するスピーカユニットと、
上記エンクロージャに取り付けられた、上記音声信号に従って振動する振動体と、
上記振動体を聴者の頭部に押し当てるように、上記エンクロージャを保持するアームと、を備えている、
ことを特徴とするウェアラブルスピーカシステム。
【請求項２】
上記スピーカユニットは、上記振動体が上記聴者の頭部に押し当てられたときに、上記聴者の耳を向くように、上記エンクロージャに収容されている、
ことを特徴とする請求項１に記載のウェアラブルスピーカシステム。
【請求項３】
上記アームは、その一端が上記エンクロージャに固定されており、上記エンクロージャを介して上記振動体を間接的に保持する、
ことを特徴とする請求項１又は２に記載のウェアラブルスピーカシステム。
【請求項４】
上記アームは、その一端が上記振動体に固定されており、上記振動体を介して上記エンクロージャを間接的に保持する、
ことを特徴とする請求項１又は２に記載のウェアラブルスピーカシステム。
【請求項５】
上記振動体は、上記スピーカユニットの背圧によりパッシブ駆動される、
ことを特徴とする請求項１〜４の何れか１項に記載のウェアラブルスピーカシステム。
【請求項６】
上記エンクロージャには、バスレフダクトが設けられている、
ことを特徴とする請求項１〜５の何れか１項に記載のウェアラブルスピーカシステム。
【請求項７】
他装置に取り付けられた、又は、取り付け可能なウェアラブルスピーカモジュールであって、
エンクロージャと、
上記エンクロージャに収容された、音声信号に従って動作するスピーカユニットと、
上記エンクロージャに取り付けられた、上記音声信号に従って振動する振動体と、
上記振動体を聴者の頭部に押し当てるように、上記エンクロージャを保持するアームと、を備えている、
ことを特徴とするウェアラブルスピーカモジュール。
【請求項８】
請求項７に記載のウェアラブルスピーカモジュールと、上記ウェアラブルスピーカモジュールが取り付けられたウェアラブルディスプレイモジュールと、を備えている、
ことを特徴とするウェアラブルディスプレイシステム。
【発明の詳細な説明】
【技術分野】
【０００１】
本発明は、ウェアラブルスピーカシステム（聴者に装着可能なスピーカシステム）及びウェアラブルスピーカモジュール（聴者に装着可能なスピーカモジュール）に関する。また、そのようなウェアラブルスピーカモジュールを備えたウェアラブルディスプレイシステムに関する。
【背景技術】
【０００２】
据え置き型のスピーカシステムを用いて良好な音質を得るために、聴者は、リスニングルームの特定の場所に居続ける必要がある。したがって、据え置き型のスピーカシステムには、聴者が音楽鑑賞を楽しみながら自由に移動することが困難であるという問題がある。
【０００３】
また、イヤフォン又はヘッドフォンを用いて良好な音質を得るために、聴者は、外耳道を塞ぐようにイアピースを装着する必要がある。したがって、イヤフォン及びヘッドフォンには、聴者が音楽鑑賞を楽しみながら外界の音を認識することが困難であるという問題がある。
【０００４】
これらの問題の解決に資する技術として、例えば、特許文献１に記載のウェアラブルスピーカシステムが知られている。
【先行技術文献】
【特許文献】
【０００５】
【特許文献１】特開２０１８−１５２９１９号公報
【発明の概要】
【発明が解決しようとする課題】
【０００６】
しかしながら、特許文献１に記載のウェアラブルスピーカシステムでは、小口径のスピーカユニットとパッシブラジエータと収容した小型のエンクロージャが、聴者の鎖骨周辺に装着される。このため、臨場感を伴った低音感を聴者に与えることが困難である、という問題があった。
【０００７】
本発明の一態様は、上記の問題に鑑みてなされたものであり、臨場感を伴った低音感を聴者に与えることが可能なウェアラブルスピーカシステム及びウェアラブルスピーカモジュールを実現することを目的とする。
【課題を解決するための手段】
【０００８】
上記の課題を解決するために、本発明の一態様に係るウェアラブルスピーカシステム及びウェアラブルスピーカモジュールは、それぞれ、エンクロージャと、上記エンクロージャに収容された、音声信号に従って動作するスピーカユニットと、上記エンクロージャに取り付けられた、上記音声信号に従って振動する振動体と、上記振動体を聴者の頭部に押し当てるように、上記エンクロージャを保持するアームと、を備えている。
【発明の効果】
【０００９】
本発明の一態様によれば、臨場感を伴った低音感を聴者に与えることが可能なウェアラブルスピーカシステム及びウェアラブルスピーカモジュールを実現することができる。
【図面の簡単な説明】
【００１０】
【図１】本発明の一実施形態に係るウェアラブルスピーカシステムの構成を示す。（ａ）は、そのウェアラブルスピーカシステムの斜視図であり、（ｂ）は、そのウェアラブルスピーカシステムが備えるスピーカの断面図である。
【図２】図１に示すウェアラブルスピーカシステムを聴者が装着する装着方法を示す。（ａ）は、そのウェアラブルスピーカシステムを装着した聴者の正面図であり、（ｂ）は、そのウェアブルスピーカシステムを装着した聴者の側面図である。
【図３】図１に示すウェアラブルスピーカシステムにおいてアームがエンクロージャを保持する保持方法を示す。（ａ）は、第１の保持方法を示す正面図であり、（ｂ）は、第２の保持方法を示す正面図である。（ｃ）は、ウェアラブルスピーカシステムの変形例を示す正面図である。
【図４】本発明の一実施形態に係るウェアラブルディスプレイシステムの構成を示す側面図である。
【発明を実施するための形態】
【００１１】
本明細書においては、単体でウェアラブルスピーカ（聴者に装着可能なスピーカ）として機能する装置のことを「ウェアラブルスピーカシステム」と記載し、他装置に取り付けられた状態でウェアラブルスピーカとして機能する装置のことを「ウェアラブルスピーカモジュール」と記載する。なお、ウェアラブルスピーカモジュールは、他装置に既に取り付けられた状態で複合製品（他装置とウェアラブルスピーカモジュールとを含むシステム）の一部として実施されてもよいし、他装置に未だ取り付けられていない状態で、単体製品として実施されてもよい。
【００１２】
≪第１の実施形態≫
〔ウェアラブルスピーカシステムの構成〕
本発明の一実施形態に係るウェアラブルスピーカシステム１の構成について、図１を参照して説明する。図１において、（ａ）は、ウェアラブルスピーカシステム１の構成を示す斜視図であり、（ｂ）は、ウェアラブルスピーカシステム１が備えるスピーカ１１の断面図である。
【００１３】
ウェアラブルスピーカシステム１は、図１の（ａ）に示すように、２つのスピーカ１１と、これら２つのスピーカ１１を保持するアーム１２と、を備えている。これら２つのスピーカ１１は、聴者の外耳道を塞ぐことなく、外耳道外の空間を伝播した後、外耳道内に入射した音波によって聴者に音声を感知させる所謂ラウドスピーカである。各スピーカ１１は、図１の（ａ）及び（ｂ）に示すように、エンクロージャ１１１と、スピーカユニット１１２と、振動体１１３と、バスレフダクト１１４と、を備えている。
【００１４】
エンクロージャ１１１は、内部に空洞が形成された筐体である。エンクロージャ１１１には、スピーカユニット１１２を取り付けるための第１開口１１１ａと、振動体１１３を取り付けるための第２開口１１１ｂと、バスレフポート（バスレフダクト１１４の出口）として機能する第３開口１１１ｃとが形成されている。第２開口１１１ｂの開口方向（図１におけるＸ軸方向）は、第１開口１１１ａの開口方向（図１におけるＹ軸方向）に交わる方向（例えば、直交する方向）である。第３開口１１１ｃの開口方向（図１におけるＹ軸方向）は、第１開口１１１ａの開口方向（図１におけるＹ軸方向）に沿う方向（例えば、平行な方向）である。
【００１５】
なお、本実施形態においては、エンクロージャ１１１として、内部に空洞が形成された球状の筐体を用いている。ただし、エンクロージャ１１１の形状は、任意であり、これに限定されない。例えば、内部に空洞が形成された直方体状の筐体を用いてもよいし、或いは、内部に空洞が形成された円柱状の筐体を用いてもよい。
【００１６】
スピーカユニット１１２は、第１開口１１１ａを塞ぐように、エンクロージャ１１１の内部に収容される。スピーカユニット１１２は、与えられた音声信号に従って動作し、その音声信号に応じた音波を放射する。スピーカユニット１１２は、聴者の耳を向くように配置され、スピーカユニット１１２から放射された音波は、聴者の外耳道外の空間を伝播した後、聴者の外耳道内に入射し、聴者の鼓膜を振動させる。これにより、聴者は、聴覚刺激を通じて、音声信号が表す音声を感知する。
【００１７】
なお、本実施形態においては、スピーカユニット１１２として、１つのフルレンジユニットを用いている。ただし、スピーカユニット１１２の構成は、これに限定されない。例えば、２つのスピーカユニットの組み合わせ（例えば、ミッドローユニットとツイータとの組み合わせ、或いは、ミッドハイユニットとウーファとの組み合わせ）を、スピーカユニット１１２として用いてもよいし、或いは、３つのスピーカユニットの組み合わせ（例えば、ツイータとスコーカとウーファとの組み合わせ）を、スピーカユニット１１２として用いてもよい。また、スピーカユニット１１２の動作方式も、特に限定されない。ダイナミック型であってもよいし、コンデンサ型であってもよいし、リボン型であってもよい。
【００１８】
振動体１１３は、第２開口１１１ｂを塞ぐように、エンクロージャ１１１の外部に取り付けられる。振動体１１３は、スピーカユニット１１２と同じ音声信号に従って動作し、その音声信号に応じて振動する。振動体１１３は、聴者の頭部に押し当てられ、振動体１１３の振動は、聴者の頭部を構成する皮膚及び／又は骨格に伝導される。これにより、聴者は、骨伝導及び／又は皮膚刺激を通じて、音声信号が表す音声の低域成分を感知する。この低域成分の感知により、聴者は、臨場感を伴う低音感を与えられることになる。
【００１９】
本実施形態においては、振動体１１３として、スピーカユニット１１２の背圧によってパッシブ駆動される振動体を用いている。より具体的には、図１の（ｂ）に示すように、円筒状の蛇腹１１３ａと、蛇腹１１３ａの一端を閉塞する円盤状の振動板１１３ｂとにより構成された振動体を用いている。この場合、スピーカユニット１１２の振動板１１２ａが後退し、エンクロージャ１１１内の気圧が上がると、振動体１１３の振動板１１３ｂが前進する。逆に、スピーカユニット１１２の振動板１１２ａが前進し、エンクロージャ１１１内の気圧が下がると、振動体１１３の振動板１１３ｂが後退する。すなわち、振動体１１３の振動板１１３ｂは、逆位相駆動される。ただし、振動体１１３は、これに限定されない。例えば、コイルやマグネットなどにより構成されるアクチュエータを備え、音声信号によりアクティブ駆動される振動体を、振動体１１３として用いてもよい。この場合、振動体１１３の振動板１１３ｂを、逆位相駆動することもできるし、同位相駆動することもできる。ネットワーク回路を用いれば、スピーカユニット１１２の振動板１１２ａと振動体１１３の振動板１１３ｂとの位相差を、所望の値（例えば、π／４，２π／４，３π／４，５π／４，６π／４，７π／４）に制御することも可能である。
【００２０】
バスレフダクト１１４は、エンクロージャ１１１の内部とエンクロージャ１１１の外部とを繋ぐダクトである。バスレフダクト１１４の長さ及びバスレフダクト１１４の断面積は、エンクロージャ１１１の容積及びスピーカユニット１１２の特性に応じて、低音を効果的に増強するように設定されている。バスレフダクト１１４が低音を増強する原理、及び、低音を増強するためのバスレフダクト１１４の設計については、公知であるため、ここではその説明を省略する。
【００２１】
本実施形態においては、（１）スピーカユニット１１２の背後から後方（図１におけるＹ軸負方向）に延伸し、（２）エンクロージャ１１１を貫通してＵ字型に折り返し、（３）再びエンクロージャ１１１を貫通して第３開口１１１ｃに至るダクトを、バスレフダクトとして用いている。これにより、エンクロージャ１１１のサイズが小さい場合であっても、バスレフダクト１１４の長さを十分に長くすることができる。なお、振動体１１３によって聴者に十分な低音感を与えられる場合には、バスレフダクト１１４を省略することも可能である。
【００２２】
アーム１２は、各スピーカ１１のエンクロージャ１１１を保持するための構成である。アーム１２は、Ｕ字型に成形された弾性体により構成されており、両端にスピーカ１１がそれぞれ固定されている。このとき、各スピーカ１１のスピーカユニット１１２は、後方（図１においてｙ軸負方向）を向き、各スピーカ１１の振動体１１３は、内側方向（図１においてｘ軸正方向側のスピーカ１１ではｘ軸負方向、ｘ軸負方向型のスピーカ１１ではｘ軸正方向）を向く。ウェアラブルスピーカシステム１は、２つのスピーカ１１の間隔を広げるようにアーム１２を弾性変形させた状態で聴者の頭部に装着される。このとき、各スピーカ１１は、２つのスピーカ１１の間隔を狭めようとするアーム１２の復元力によって、内側方向に付勢される。これにより、各スピーカ１１の内側に取り付けられた振動体１１３が、聴者の頭部に押し当てられる。
【００２３】
本実施形態においては、アーム１２として、聴者の頭部に上方から装着するＵ字型のアーム（頭頂部にかけるアーム）を用いている。ただし、アーム１２の形態は、これに限定されない。例えば、聴者の頭部に後方から装着するＵ字型のアーム（後頭部にかけるアーム）を用いてもよいし、或いは、聴者の頭部に下方から装着するＵ字型のアーム（顎にかけるアーム）を用いてもよい。また、後述するように、ヘッドマウントディスプレイに取り付けられたアームを、アーム１２として用いることも可能である。
【００２４】
〔ウェアラブルスピーカシステムを聴者に装着する装着方法〕
ウェアラブルスピーカシステム１を聴者Ｌに装着する装着方法について、図２を参照して説明する。図２においては、（ａ）は、ウェアラブルスピーカシステム１を装着した聴者Ｌの正面図であり、（ｂ）は、ウェアラブルスピーカシステム１を装着した聴者Ｌの側面図である。
【００２５】
ウェアラブルスピーカシステム１は、図２に示すように、２つのスピーカ１１の間隔を広げるようにアーム１２を弾性変形させた状態で聴者の頭部に上方から装着される。このとき、図２の（ｂ）に示すように、２つのスピーカ１１が聴者Ｌの耳の前方に位置し、スピーカユニット１１２が聴者Ｌの耳を向く。また、図２の（ａ）に示すように、２つのスピーカ１１の間隔を狭めようとするアーム１２の復元力によって、各スピーカ１１が内側方向に付勢され、各スピーカ１１の内側に取り付けられた振動体１１３が聴者Ｌの頭部（例えば、側頭部）に押し当てられる。
【００２６】
スピーカユニット１１２が聴者Ｌの耳を向く構成によって、スピーカユニット１１２から放射された音波を効率的に視聴者Ｌに導くことが可能になる。また、振動体１１３が聴者Ｌの頭部に押し当てられる構成によって、振動体１１３の振動を効率的に聴者Ｌの頭部に伝導させることができ、その結果、臨場感を伴う低音感を骨伝導及び／又は皮膚刺激を通じて効率的に聴者Ｌに与えることが可能になる。
【００２７】
〔アームがエンクロージャを保持する保持方法〕
ウェアラブルスピーカシステム１において、アーム１２が各スピーカ１１のエンクロージャ１１１を保持する保持方法について、図３を参照して説明する。図３において、（ａ）は、第１の保持方法が採用されたウェアラブルスピーカシステム１の正面図であり、（ｂ）は、第２の保持方法が採用されたウェアラブルスピーカシステム１の正面図である。
【００２８】
第１の保持方法は、図３の（ａ）に示すように、アーム１２の両端を、それぞれ、各スピーカ１１のエンクロージャ１１１に固定する保持方法である。この場合、アーム１２は、各スピーカ１１のエンクロージャ１１１を直接的に保持すると共に、各スピーカ１１の振動体１１３を、そのスピーカ１１のエンクロージャ１１１を介して間接的に保持することになる。
【００２９】
この場合、アーム１２に固定されたエンクロージャ１１１の内側で振動体１１３が振動し、その振動が聴者の頭部に伝導される。これにより、臨場感を伴う低音感を骨伝導又は皮膚刺激を通じて聴者に与えることができる。
【００３０】
第２の保持方法は、図３の（ｂ）に示すように、アーム１２の両端を、それぞれ、各スピーカ１１の振動体１１３（の振動板１１３ｂ）に固定する保持方法である。この場合、アーム１２は、各スピーカ１１の振動体１１３を直接的に保持すると共に、各スピーカ１１のエンクロージャ１１１を、そのスピーカ１１の振動体１１３を介して間接的に保持することになる。
【００３１】
この場合、アーム１２に固定された振動体１１３の外側でエンクロージャ１１１が振動し、その振動が聴者の頭部に伝導される。エンクロージャ１１１が外側に変位するときに、内向きの力（反作用）が聴者の頭部に作用するからである。これにより、臨場感を伴う低音感を骨伝導又は皮膚刺激を通じて聴者に与えることができる。
【００３２】
なお、ウェアラブルスピーカシステム１は、図３の（ｃ）に示すように構成してもよい。すなわち、振動体１１３を蛇腹１１３ａと振動板１１３ｂとに分け、蛇腹１１３ａをエンクロージャ１１１の外側に、振動板１１３ｂをエンクロージャ１１１の内側に、それぞれ取り付ける。そして、アーム１２の両端を、それぞれ、左右のエンクロージャ１１１に取り付けられた蛇腹１１３ａの外側に固定する。これにより、蛇腹１１３ａが伸縮すると、聴者の頭部に押し当てられた振動板１１３ｂがエンクロージャ１１１と共に振動することになる。このようなウェアラブルスピーカシステム１においても、上述した効果と同様の効果が得られる。
【００３３】
≪第２の実施形態≫
ウェアラブルスピーカモジュール２を備えたウェアラブルディスプレイシステムＤＳの構成について、図４を参照して説明する。図４は、ウェアラブルディスプレイシステムＤＳの構成を示す側面図である。
【００３４】
ウェアラブルディスプレイシステムＤＳは、ウェアラブルディスプレイモジュールＤＭと、ウェアラブルディスプレイモジュールＤＭに取り付けられたウェアラブルスピーカモジュール２と、を備えている。ウェアラブルディスプレイモジュールＤＭは、視聴者に装着可能なディスプレイであり、ウェアラブルスピーカモジュール２は、視聴者に装着可能なスピーカである。
【００３５】
ウェアラブルスピーカモジュール２は、第１の実施形態に係るウェアラブルスピーカシステム１と同様、スピーカ２１と、スピーカ２１を保持するアーム２２と、を備えている。スピーカ２１は、第１の実施形態に係るスピーカ１１と同様、エンクロージャ２１１と、エンクロージャ２１１に収容されたスピーカユニット２１２と、エンクロージャ２１１に取り付けられた振動体２１３と、を備えている。スピーカ２１のエンクロージャ２１１、スピーカユニット２１２、及び振動体２１３の構造及び機能は、それぞれ、スピーカ１１のエンクロージャ１１１、スピーカユニット１１２、及び振動体１１３の構造及び機能と同様である。このため、スピーカ２１に関する詳細な説明は省略する。
【００３６】
アーム２２は、スピーカ２１のエンクロージャ２１１を保持するための構成である。アーム２２の一端は、スピーカ２１のエンクロージャ２１１に取り付けられており、アーム２２の他端は、ウェアラブルディスプレイモジュールＤＭに取り付けられている。
【００３７】
アーム２２は、その全長を視聴者が調整することを可能ならしめる全長調整機能を有している。本実施形態においては、アーム２２を主アーム２２１と副アーム２２２とにより構成し、副アーム２２２を主アーム２２１に挿入する挿入長を可変にすることによって、この全長調整機能を実現している。これにより、視聴者は、より良い音質を得るために、スピーカ２１の位置を容易に調整することが可能になる。
【００３８】
また、アーム２２は、その取付角度を視聴者が調整することを可能ならしめる角度調整機能を有している。本実施形態においては、ヒンジ２２３を介してアーム２２をウェアラブルディスプレイ５の筐体に取り付けることによって、この取付角度調整機能を実現している。これにより、視聴者は、より良い音質を得るために、スピーカ２１の位置を更に容易に調整することが可能になる。
【００３９】
ウェアラブルスピーカモジュール２は、ウェアラブルスピーカシステム１と同様、以下の効果を奏する。すなわち、音声信号が表す音声を、スピーカユニット２１２が放射する音波によって、聴覚刺激を通じて視聴者に感知させると共に、それだけでは不足しがちな臨場感を伴う低音感を、視聴者の頭部に押し当てられた振動体２１３の振動によって、骨伝導及び／又は皮膚刺激を通じて視聴者に感知させることができる。
【００４０】
なお、ウェアラブルスピーカモジュール２は、ウェアラブルディスプレイモジュールＤＭに着脱不能に取り付けられていてもよいし、ウェアラブルディスプレイモジュールＤＭに着脱可能に取り付けられていてもよい。後者の場合、ウェアラブルスピーカモジュール２は、ウェアラブルディスプレイモジュールＤＭに既に取り付けられた状態で、複合製品（ウェアラブルディスプレイシステムＤＳ）の一部として実施することもできるし、ウェアラブルディスプレイモジュールＤＭに未だ取り付けられていない状態で、単体製品として実施することもできる。また、ウェアラブルスピーカモジュール２は、ウェアラブルディスプレイモジュールＤＭ以外の任意の装置（特許請求の範囲における「他装置」）に取り付けて利用することも可能である。
【００４１】
≪まとめ≫
本発明の態様１に係るウェアラブルスピーカシステムは、エンクロージャと、上記エンクロージャに収容された、音声信号に従って動作するスピーカユニットと、上記エンクロージャに取り付けられた、上記音声信号に従って振動する振動体と、上記振動体を聴者の頭部に押し当てるように、上記エンクロージャを保持するアームと、を備えていることを特徴とする。
【００４２】
上記の構成によれば、上記音声信号が表す音声を、上記スピーカユニットが音波を放射することによって、聴覚刺激を通じて上記聴者に感知させると共に、それだけでは不足しがちな臨場感を伴う低音感を、上記聴者の頭部に押し当てられた上記振動体が上記音声信号に従って振動することによって、骨伝導又は皮膚刺激を通じて上記聴者に感知させることができる。したがって、上記の構成によれば、臨場感を伴った低音感を聴者に与えることが可能なウェアラブルスピーカを実現することができる。
【００４３】
本発明の態様２に係るウェアラブルスピーカシステムは、本発明の態様１に係るウェアラブルスピーカシステムにおいて、上記スピーカユニットは、上記振動体が上記聴者の頭部に押し当てられたときに、上記聴者の耳を向くように、上記エンクロージャに収容されている、ことを特徴とする。
【００４４】
上記の構成によれば、臨場感を伴う低音感を、上記聴者の頭部に押し当てられた上記振動体が上記音声信号に従って振動することによって、骨伝導又は皮膚刺激を通じて上記聴者に感知させる機能を阻害することなく、上記スピーカユニットから放射される音波をより効率的に上記聴者の耳に導くことができる。
【００４５】
本発明の態様３に係るウェアラブルスピーカシステムは、本発明の態様１又は２に係るウェアラブルスピーカシステムにおいて、上記アームの一端が、上記振動体に固定されており、上記アームが、上記振動体を介して上記エンクロージャを間接的に保持する、ことを特徴とする。
【００４６】
上記の構成によれば、上記アームに固定されたエンクロージャの内側で上記振動体が振動することによって、伴った低音感を骨伝導又は皮膚刺激を通じて上記聴者に効率的に感知させることができる。
【００４７】
本発明の態様４に係るウェアラブルスピーカシステムは、本発明の態様１又は２に係るウェアラブルスピーカシステムにおいて、上記アームの一端が、上記振動体に固定されており、上記アームが、上記振動体を介して上記エンクロージャを間接的に保持する、ことを特徴とする。
【００４８】
上記の構成によれば、上記アームに固定された振動体の外側で上記エンクロージャが振動することによって、伴った低音感を骨伝導又は皮膚刺激を通じて上記聴者に効率的に感知させることができる。
【００４９】
本発明の態様５に係るウェアラブルスピーカシステムは、本発明の態様１〜４の何れかに係るウェアラブルスピーカシステムおいて、上記振動体が、上記スピーカユニットの背圧によりパッシブ駆動される、ことを特徴とする。
【００５０】
上記の構成によれば、上記振動体を振動させるためのアクチュエータ（コイル、マグネット、ネットワーク回路等）を備えることなく、上記ウェアラブルスピーカを実現することができる。したがって、上記ウェアラブルスピーカをより簡単に、かつ、より安価に製造することが可能になる。
【００５１】
本発明の態様６に係るウェアラブルスピーカシステムは、本発明の態様１〜５の何れかに係るウェアラブルスピーカシステムにおいて、上記エンクロージャに、バスレフダクトが設けられている、ことを特徴とする。
【００５２】
上記の構成によれば、上記バスレフダクトが放射される音波によって、上記聴者が感知する低音感を更に増強することができる。
【００５３】
本発明の態様７に係るウェアラブルスピーカモジュールは、他装置に取り付けられた、又は、取り付け可能なウェアラブルスピーカモジュールであって、エンクロージャと、上記エンクロージャに収容された、音声信号に従って動作するスピーカユニットと、上記エンクロージャに取り付けられた、上記音声信号に従って振動する振動体と、上記振動体を聴者の頭部に押し当てるように、上記エンクロージャを保持するアームと、を備えている、ことを特徴とする。
【００５４】
上記の構成によれば、上記音声信号が表す音声を、上記スピーカユニットが音波を放射することによって、聴覚刺激を通じて上記聴者に感知させると共に、それだけでは不足しがちな臨場感を伴う低音感を、上記聴者の頭部に押し当てられた上記振動体が上記音声信号に従って振動することによって、骨伝導又は皮膚刺激を通じて上記聴者に感知させることができる。したがって、上記の構成によれば、臨場感を伴った低音感を聴者に与えることが可能なウェアラブルスピーカを実現することができる。
【００５５】
本発明の態様８に係るウェアラブルディスプレイシステムは、本発明の態様７に係るウェアラブルスピーカモジュールと、そのウェアラブルスピーカモジュールが取り付けられたウェアラブルディスプレイモジュールと、を備えている、ことを特徴とする。
【００５６】
上記の構成によれば、映像と共に、臨場感を伴った低音感を有する音声を視聴者に提供することが可能なウェアラブルディスプレイシステムを実現することができる。
【００５７】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００５８】
１        ウェアラブルスピーカシステム
１１        スピーカ
１１１        エンクロージャ
１１２        スピーカユニット
１１３        振動体
１２        アーム
２        ウェアラブルスピーカモジュール
２１        スピーカ
２１１        エンクロージャ
２１２        スピーカユニット
２１３        振動体
２２        アーム
ＤＳ      ウェアラブルディスプレイシステム
ＤＭ      ウェアラブルディスプレイモジュール
【図１】
2020072407.tif 000003
【図２】
2020072407.tif 000004
【図３】
2020072407.tif 000005
【図４】
2020072407.tif 000006